(57)【特許請求の範囲】
【請求項１】
画像取得部と、
前記画像取得部により取得された画像を表示する表示部と、
自機の周囲環境の変化を検出するための情報を測定する環境測定部と、
前記環境測定部の測定結果に基づいて前記周囲環境の変化を継続的に判定し、前記周囲環境の変化を検出した場合に、前記画像取得部により取得された画像の補正を実行する制御部と、
自機の動きの情報を測定する動き測定部と
を有し、
前記制御部は、
前記周囲環境の変化を検出した時点で前記画像取得部により動画の撮影が開始されていると、前記動き測定部により測定される動きの情報に基づいて、前記画像の補正のための調整継続時間を設定する電子機器。
【請求項２】
自機の前記周囲環境の変化は、水上から水中への変化、及び水中から水上への変化をうち、少なくとも一方を含む請求項１に記載の電子機器。
【請求項３】
前記制御部は、
前記周囲環境の変化を検出する前に、前記動き測定部により測定された動きの情報に基づいて、前記調整継続時間を設定する請求項１に記載の電子機器。
【請求項４】
前記制御部は、
前記周囲環境の変化を検出した後に、前記動き測定部により測定された動きの情報に基づいて、前記調整継続時間を設定する請求項１に記載の電子機器。
【請求項５】
前記補正は、前記画像取得部により取得される画像の歪曲収差の補正を含む請求項１から３のいずれか１つに記載の電子機器。
【請求項６】
前記補正は、前記画像取得部により取得される画像のカラーバランスの補正を含む請求項１から４のいずれか１つに記載の電子機器。
【請求項７】
前記動き測定部は、加速度センサを含み、
前記動き測定部は、自機に作用する加速度の値を、前記動きの情報として測定する請求項１から５のいずれか１つに記載の電子機器。
【請求項８】
加速度の値と、当該加速度の値が小さくなるほど前記補正の処理時間が長くなるように調整された前記調整継続時間との対応関係を記憶する記憶部をさらに有し、
前記動き測定部は、加速度センサを含み、
前記動き測定部は、自機に作用する加速度の値を、前記動きの情報として測定し、
前記制御部は、
前記記憶部に記憶される対応関係に基づいて、前記加速度の値に対応する前記調整継続時間を設定する請求項４または５に記載の電子機器。
【請求項９】
画像取得部と、当該画像取得部により取得された画像を表示する表示部とを有する電子機器により実行される制御方法であって、
自機の周囲環境の変化を検出するための情報を測定するステップと、
前記周囲環境の変化を判定するステップと、
前記周囲環境の変化を検出した場合に、前記画像取得部により取得された画像の補正を実行するステップと、
自機の動きの情報を測定するステップと、
前記周囲環境の変化を検出した時点で前記画像取得部により動画の撮影が開始されていると、前記動きの情報に基づいて、前記画像の補正のための調整継続時間を設定するステップと
を含む制御方法。
【請求項１０】
画像取得部と、当該画像取得部により取得された画像を表示する表示部とを有する電子機器に、
自機の周囲環境の変化を検出するための情報を測定するステップと、
前記周囲環境の変化を判定するステップと、
前記周囲環境の変化を検出した場合に、前記画像取得部により取得された前記画像の補正を実行するステップと、
自機の動きの情報を測定するステップと、
前記周囲環境の変化を検出した時点で前記画像取得部により動画の撮影が開始されていると、前記動きの情報に基づいて、前記画像の補正のための調整継続時間を設定するステップと
を実行させる制御プログラム。
【発明の詳細な説明】
【技術分野】
【０００１】
本出願は、電子機器、制御方法及び制御プログラムに関する。
【背景技術】
【０００２】
従来、表示面に付着する水が検出された場合には、表示面に表示される情報の表示態様を変更する電子機器がある（例えば、特許文献１参照）。
【先行技術文献】
【特許文献】
【０００３】
【特許文献１】特開２０１２−１２３７４０号公報
【発明の概要】
【発明が解決しようとする課題】
【０００４】
従来の電子機器は、画像の補正方法に改善の余地がある。
【課題を解決するための手段】
【０００５】
１つの態様に係る電子機器は、画像取得部と、前記画像取得部により取得された画像を表示する表示部と、自機の周囲環境の変化を検出するための情報を測定する環境測定部と、前記環境測定部の測定結果に基づいて前記周囲環境の変化を判定し、前記周囲環境の変化を検出した場合に、前記画像取得部により取得された画像の補正を実行する制御部と、自機の動きの情報を測定する動き測定部とを有する。前記制御部は、前記周囲環境の変化を検出した時点で前記画像取得部により動画の撮影が開始されていると、前記動きの情報に基づいて、前記画像の補正のための調整継続時間を設定する。
【０００６】
１つの態様に係る制御方法は、画像取得部と、当該画像取得部により取得された画像を表示する表示部とを有する電子機器により実行される制御方法であって、自機の周囲環境の変化を検出するための情報を測定するステップと、前記周囲環境の変化を判定するステップと、前記周囲環境の変化を検出した場合に、前記画像取得部により取得された画像の補正を実行するステップと、自機の動きの情報を測定するステップと、前記周囲環境の変化を検出した時点で前記画像取得部により動画の撮影が開始されていると、前記動きの情報に基づいて、前記画像の補正のための調整継続時間を設定するステップとを含む。
【０００７】
１つの態様に係る制御プログラムは、画像取得部と、当該画像取得部により取得された画像を表示する表示部とを有する電子機器に、自機の周囲環境の変化を検出するための情報を測定するステップと、前記周囲環境の変化を判定するステップと、前記周囲環境の変化を検出した場合に、前記画像取得部により取得された画像の補正を実行するステップと、自機の動きの情報を測定するステップと、前記周囲環境の変化を検出した時点で前記画像取得部により動画の撮影が開始されていると、前記動きの情報に基づいて、前記画像の補正のための調整継続時間を設定するステップとを実行させる。
【図面の簡単な説明】
【０００８】
【図１】図１は、実施形態に係るスマートフォンの機能構成の一例を示すブロック図である。
【図２】図２は、実施形態に係るタッチスクリーン上のセンサ電極の一例を示す図である。
【図３】図３は、実施形態に係るスマートフォンが水に浸かっている一例を示す図である。
【図４】図４は、実施形態に係る静電容量の一例を示す図である。
【図５】図５は、実施形態に係る調整継続時間の設定用テーブルのデータ構成の一例を示す図である。
【図６】図６は、実施形態に係るスマートフォンに作用する加速度の一例を示す図である。
【図７】図７は、実施形態に係るスマートフォンに作用する加速度の一例を示す図である。
【図８】図８は、実施形態に係る画像の歪曲収差の補正の一例を示す図である。
【図９】図９は、実施形態に係る画像の歪曲収差の補正の一例を示す図である。
【図１０】図１０は、実施形態に係るスマートフォンの処理の一例を示すフローチャートである。
【図１１】図１１は、実施形態に係るスマートフォンの処理の他の一例を示すフローチャートである。
【図１２】図１２は、実施形態に係るスマートフォンの処理の他の一例を示すフローチャートである。
【発明を実施するための形態】
【０００９】
本出願に係る電子機器、制御方法及び制御プログラムを実施するための実施形態を、図面を参照しつつ詳細に説明する。以下では、本出願に係る電子機器の一例として、スマートフォンを取り上げて説明する。
【００１０】
図１を参照しつつ、実施形態に係る電子機器の機能構成の一例を説明する。図１は、実施形態に係るスマートフォンの機能構成の一例を示すブロック図である。以下の説明において、同様の構成要素について同一の符号を付すことがある。さらに、重複する説明は省略することがある。さらに、スマートフォン１を「自機」と表記する場合がある。
【００１１】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６とを備える。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重ねて配置されてもよいし、並べて配置されてもよいし、離して配置されてもよい。タッチスクリーンディスプレイ２は、ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示することができる。ディスプレイ２Ａが表示する文字、画像、記号、及び図形等を含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。ディスプレイ２Ａは、表示部の一例である。
【００１４】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。タッチスクリーン２Ｂが検出する複数の指、ペン、及びスタイラスペン等は、「指」と表記する場合がある。タッチスクリーン２Ｂが検出した指が接触又は近接した位置を「検出位置」と表記する場合がある。タッチスクリーン２Ｂは、タッチスクリーン２Ｂに対する指の接触を、検出位置とともにコントローラ１０に通知する。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００１５】
タッチスクリーン２Ｂは、自機の周囲環境の水上から水中への変化、並びに自機の周囲環境の水中から水上への変化を検出するための情報を測定する。以下の説明において、自機の周囲環境の水上から水中への変化、及び前記周囲環境の水上から水中への変化を、「周囲環境の変化」と表記する場合がある。図２は、実施形態に係るタッチスクリーン２Ｂ上のセンサ電極の一例を示す図である。図３は、実施形態に係るスマートフォン１が水に浸かっている一例を示す図である。図４は、実施形態に係る静電容量の一例を示す図である。実施形態の１つの例として、タッチスクリーン２Ｂは、検出方式として静電容量方式を採用する場合、静電容量を測定する。タッチスクリーン２Ｂは、図２に示す例のように、当該タッチスクリーン２Ｂに格子状に張り巡らされた複数のセンサ電極２ｐのそれぞれに対して所定の信号を印加し、各センサ電極２ｐからの出力値を読み取ることを繰り返す。これにより、タッチスクリーン２Ｂは静電容量を測定できる。図３に示すように、スマートフォン１の一部が入水した状態にある場合、図４に示すように、タッチスクリーン２Ｂにより測定される静電容量は、水上における静電容量の分布と、水中における静電容量の分布とで大きく異なる。そこで、コントローラ１０は、タッチスクリーン２Ｂに測定される静電容量の分布に基づいて、自機の周囲環境の変化を検出できる。タッチスクリーン２Ｂは、環境測定部の一例である。
【００１６】
タッチスクリーン２Ｂは、静電容量方式に代わる他の検出方式として抵抗膜方式又は荷重検出方式を採用する場合、自機の周囲環境の変化を検出するための情報として、例えば、電圧の大きさの変化を検出してもよい。タッチスクリーン２Ｂは、静電容量方式に代わる他の検出方式として表面弾性波方式を採用する場合、自機の周囲環境の変化を検出するための情報として、例えば、自機が発信する表面弾性波の減衰を検出してもよい。タッチスクリーン２Ｂは、静電容量方式に代わる他の検出方式として赤外線方式を採用する場合、自機の周囲環境の変化を検出するための情報として、例えば、自機が発信する赤外線光の減衰を検出してもよい。
【００１７】
コントローラ１０は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。ジェスチャは、指を用いて、タッチスクリーン２Ｂ（タッチスクリーンディスプレイ２）に対して行われる操作である。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１８】
ボタン３は、利用者からの操作入力を受け付ける。ボタン３の数は、単数であっても、複数であってもよい。
【００１９】
照度センサ４は、照度を検出する。照度は、照度センサ４の測定面の単位面積に入射する光束の値である。照度センサ４は、例えば、ディスプレイ２Ａの輝度の調整に用いられる。
【００２０】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２１】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）が含まれる。通信ユニット６は、上述した通信規格の１つ又は複数をサポートしていてもよい。通信ユニット６は、有線による通信をサポートしてもよい。有線による通信は、例えば、イーサネット（登録商標）、ファイバーチャネル等を含む。
【００２２】
レシーバ７は、音出力部の一例である。レシーバ７は、コントローラ１０から送信される音信号を音として出力する。レシーバ７は、例えば、スマートフォン１にて再生される動画の音、音楽の音、及び通話時の相手の声を出力することができる。マイク８は、音入力部の一例である。マイク８は、利用者の声等を音信号へ変換してコントローラ１０へ送信する。
【００２３】
ストレージ９は、プログラム及びデータを記憶できる。ストレージ９は、コントローラ１０の処理結果を一時的に記憶する作業領域として利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２４】
ストレージ９に記憶されるプログラムには、フォアグランド又はバックグランドで実行されるアプリケーションと、アプリケーションの動作を支援する制御プログラム（図示略）とが含まれる。アプリケーションの画面は、例えば、フォアグランドで実行される場合に、ディスプレイ２Ａに表示される。制御プログラムには、例えば、ＯＳが含まれる。アプリケーション及び基本プログラムは、通信ユニット６による無線通信又は非一過的な記憶媒体を介してストレージ９にインストールされてもよい。
【００２５】
ストレージ９は、制御プログラム９Ａ、カメラアプリケーション９Ｂ、電話アプリケーション９Ｃ、調整継続時間の設定用テーブル９Ｄ及び設定データ９Ｚなどを記憶する。
【００２６】
制御プログラム９Ａは、タッチスクリーン２Ｂの測定結果に基づいて周囲環境の変化を継続的に判定する機能を提供できる。制御プログラム９Ａは、周囲環境の変化を検出した場合に、カメラアプリケーション９Ｂにより提供される機能と連携する。制御プログラム９Ａは、前記連携により、カメラ１２（若しくはカメラ１３）の操作に関する操作設定及びカメラ１２（若しくはカメラ１３）により取得される画像の自動補正に関する設定のそれぞれを、変化後の周囲環境に従って切替える機能を提供してもよい。制御プログラム９Ａは、画像の自動補正に関し、カメラ１２（若しくはカメラ１３）により取得される画像の歪曲収差及び画像のカラーバランスの少なくとも一方の自動補正を実行する機能を提供してもよい。制御プログラム９Ａは、周囲環境の変化を検出した時点でカメラ１２（若しくはカメラ１３）により動画の撮影が開始されていると、加速度センサ１５により測定される加速度の値に基づいて、画像の補正をする際の調整継続時間を設定する機能を提供してもよい。制御プログラム９Ａは、周囲環境の変化を検出する前に、加速度センサ１５により測定される加速度の値に基づいて、調整継続時間を設定する機能を提供してもよい。制御プログラム９Ａは、周囲環境の変化を検出した後に、加速度センサ１５により測定される加速度の値に基づいて、調整継続時間を設定する機能を提供してもよい。
【００２７】
カメラアプリケーション９Ｂは、静止画像及び動画像の撮影、編集並びに管理などを行うための機能を提供できる。電話アプリケーション９Ｃは、無線通信による通話のための通話機能を提供できる。
【００２８】
調整継続時間の設定用テーブル９Ｄは、加速度の値と調整継続時間との対応関係を含む。図５は、実施形態に係る調整継続時間の設定用テーブルのデータ構成の一例を示す図である。図５に示すように、調整継続時間の設定用テーブル９Ｄは、所定の範囲ごとに区切られた加速度の値の範囲と、画像の補正を実行する際の調整継続時間との対応関係のデータを含む。図５に示すように、調整継続時間の設定用テーブル９Ｄには、加速度の値が小さいほど補正量を段階的に変更し最終的な補正量に到達するまでの時間が長くなるように調整された調整継続時間が加速度の値の範囲に対応付けられている。図５に示す例は、実施形態の１つの例に過ぎない。例えば、調整継続時間の設定用テーブル９Ｄは、調整継続時間の基準値に掛け合わせて調整継続時間を算出することができる変数を、加速度の値に対応付けて構成されてもよい。
【００２９】
設定データ９Ｚは、制御プログラム９Ａなどにより提供される機能に基づいて実行される処理、及びカメラアプリケーション９Ｂなどにより提供される機能に基づいて実行される処理に用いられる各種データを含んで構成される。設定データ９Ｚは、画像の歪曲収差を補正する際に用いる自動補正量、及び画像のカラーバランスを補正する際に用いる自動補正量のデータを含むことができる。
【００３０】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んでもよいが、これらに限定されない。コントローラ１０は、スマートフォン１の動作を統括的に制御して各種の機能を実現する。コントローラ１０は、制御部の一例である。
【００３１】
具体的には、コントローラ１０は、ストレージ９に記憶されているデータを必要に応じて参照しつつ、ストレージ９に記憶されているプログラムに含まれる命令を実行する。コントローラ１０は、データ及び命令に応じて機能部を制御し、それによって各種機能を実現する。機能部は、例えば、ディスプレイ２Ａ、通信ユニット６、マイク８、及びスピーカ１１の少なくとも１つを含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、及び方位センサ１６の少なくとも１つを含むが、これらに限定されない。
【００３２】
コントローラ１０は、制御プログラム９Ａを実行することにより、カメラアプリケーション９Ｂにより提供される機能と連携して、次の各処理を実現できる。すなわち、コントローラ１０は、タッチスクリーン２Ｂの測定結果に基づいて周囲環境の変化を継続的に判定する処理を実行できる。コントローラ１０は、周囲環境の変化を検出した場合に、カメラ１２（若しくはカメラ１３）の操作に関する操作設定及びカメラ１２（若しくはカメラ１３）により取得される画像の自動補正に関する設定のそれぞれを、変化後の周囲環境に従って切替える処理を実行できる。画像の自動補正に関し、コントローラ１０は、周囲環境の変化を検出した場合に、カメラ１２（若しくはカメラ１３）により取得された画像の歪曲収差及び画像のカラーバランスの少なくとも一方の自動補正を実行できる。コントローラ１０は、周囲環境の変化を検出した時点でカメラ１２（若しくはカメラ１３）により動画の撮影が開始されている場合、加速度センサ１５により測定される加速度の値に基づいて、画像の補正をする際の調整継続時間を設定できる。
【００３３】
調整継続時間を設定する際、コントローラ１０は、周囲環境の変化を検出する前に、加速度センサ１５により測定される加速度の値に基づいて調整継続時間を設定してもよい。あるいは、コントローラ１０は、周囲環境の変化を検出した後に、加速度センサ１５により測定される加速度の値に基づいて調整継続時間を設定してもよい。図６及び図７は、実施形態に係るスマートフォン１に作用する加速度の一例を示す図である。図６は、スマートフォン１が入水する直前に測定された加速度の例を示している。図７は、スマートフォン１が入水した直後に測定された加速度の例を示している。図６に示す例のように、スマートフォン１が入水する直前に測定された加速度の値が加速度ａ１である場合、コントローラ１０は、調整継続時間の設定用テーブル９Ｄ（図５参照）から、加速度ａ１に対応する調整継続時間Ｔ１を読み込み、調整継続時間として設定すればよい。あるいは、図７に示す例のように、スマートフォン１が入水した直後に測定された加速度の値が加速度ａ２である場合、コントローラ１０は、調整継続時間の設定用テーブル９Ｄ（図５参照）から、加速度ａ２に対応する調整継続時間Ｔ２を読み込み、調整継続時間として設定すればよい。
【００３４】
コントローラ１０は、調整継続時間の経過と同時に画像の補正の調整が終了するように、調整継続時間の全てを使って、画像の歪曲収差およびカラーバランスの少なくとも一方の補正の調整を実行する。調整継続時間の設定用テーブル９Ｄには、加速度の値が小さいほど長い調整継続時間が対応付けてられている。したがって、加速度の値が小さいほど歪曲収差等の補正の調整が時間をかけて実行される。図８及び図９は、実施形態に係る画像の歪曲収差の補正の一例を示す図である。図８に示すように、画像の歪曲収差を補正する場合、調整継続時間がｔ１のときには、ｔ１の経過と同時に画像Ｇ１の補正の調整が終了するように歪曲収差の補正値が段階的に変更される。一方、図９に示すように、調整継続時間がｔ１＋ｔ２のときには、ｔ１＋ｔ２の経過と同時に画像Ｇ１の補正の調整が終了する。すなわち、実施形態に係るスマートフォン１において、自機が入水する際の速度が遅いほど調整継続時間が長くなり、画像の歪曲収差の最終的な補正量にゆっくりと到達する。このため、従来のように周囲環境の変化に応じて即座に画像の補正を行っていた場合と比較して、例えば、動画撮影中に自機の周囲環境の変化に伴ってディスプレイ２Ａに表示されている画像が自動補正される場合、ディスプレイ２Ａの画像を視認している利用者の違和感を軽減できる。
【００３５】
スピーカ１１は、音出力部を含む。スピーカ１１は、コントローラ１０から送信される音信号を音として出力する。スピーカ１１は、例えば、着信音及び音楽を出力してもよい。レシーバ７及びスピーカ１１の一方が、他方の機能を兼ねてもよい。
【００３６】
カメラ１２及びカメラ１３は、撮影した画像を電気信号へ変換できる。カメラ１２は、ディスプレイ２Ａに面している物体を撮影するインカメラでもよい。カメラ１３は、ディスプレイ２Ａの反対側の面に面している物体を撮影するアウトカメラでもよい。カメラ１２及びカメラ１３は、インカメラ及びアウトカメラを切り換えて利用可能なカメラユニットとして、機能的及び物理的に統合された状態でスマートフォン１に実装されてもよい。
【００３７】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及びスマートフォンを含むが、これらに限定されない。
【００３８】
加速度センサ１５は、スマートフォン１に作用する加速度の方向及び大きさを測定する。実施形態の１つの例として、加速度センサ１５は、測定した加速度の値を内部的に記憶してもよい。方位センサ１６は、例えば、地磁気の向きを検出し、地磁気の向きに基づいて、スマートフォン１の向き（方位）を検出する。
【００３９】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信できる。ＧＰＳ受信機は、受信した電波信号の復調処理を行って、処理後の信号をコントローラ１０に送出する。ＧＰＳ受信機は、スマートフォン１の現在位置の演算処理をサポートする。バイブレータは、スマートフォン１の一部又は全体を振動させる。バイブレータは、振動を発生させるために、例えば、圧電素子、又は偏心モータなどを有する。バッテリなど、スマートフォン１の機能を維持するために当然に用いられる機能部、及びスマートフォン１の制御を実現するために当然に用いられる制御部は、スマートフォン１に実装される。
【００４０】
図１０、図１１及び図１２を参照しつつ、実施形態に係るスマートフォン１により実行される処理の流れを説明する。図１０、図１１及び図１２は、実施形態に係るスマートフォン１の処理の一例を示すフローチャートである。図１０、図１１及び図１２に示す処理は、コントローラ１０が、ストレージ９に記憶されている制御プログラム９Ａなどを実行することにより実現される。
【００４１】
図１０は、スマートフォン１による実行される全体的な処理の流れを示す。図１０に示すように、コントローラ１０は、カメラアプリケーション９Ｂが起動されたかを判定する（ステップＳ１０１）。
【００４２】
コントローラ１０は、判定の結果、カメラアプリケーション９Ｂが起動されていない場合には（ステップＳ１０１，Ｎｏ）、同判定を繰り返す。
【００４３】
一方、コントローラ１０は、判定の結果、カメラアプリケーション９Ｂが起動された場合には（ステップＳ１０１，Ｙｅｓ）、計時を開始する（ステップＳ１０２）。
【００４４】
続いて、コントローラ１０は、周囲環境の判定を実行するタイミングに到達したかを判定する（ステップＳ１０３）。
【００４５】
コントローラ１０は、判定の結果、周囲環境の判定タイミングに到達していない場合には（ステップＳ１０３，Ｎｏ）、同判定を繰り返す。
【００４６】
一方、コントローラ１０は、判定の結果、周囲環境の判定タイミングに到達した場合には（ステップＳ１０３，Ｙｅｓ）、タッチスクリーン２Ｂにより測定される静電容量を取得する（ステップＳ１０４）。
【００４７】
続いて、コントローラ１０は、ステップＳ１０４で取得した静電容量に基づいて、自機の周囲環境の水上から水中への変化、もしくは自機の周囲環境の水中から水上への変化を検出したかを判定する（ステップＳ１０５）。
【００４８】
コントローラ１０は、判定の結果、自機の周囲環境の水上から水中への変化、もしくは自機の周囲環境の水中から水上への変化を検出した場合には（ステップＳ１０５，Ｙｅｓ）、動画撮影中であるかを判定する（ステップＳ１０６）。
【００４９】
コントローラ１０は、判定の結果、動画撮影中である場合には（ステップＳ１０６，Ｙｅｓ）、画像補正処理を実行する（ステップＳ１０７）。
【００５０】
続いて、コントローラ１０は、カメラアプリケーション９Ｂを実行中であるかを判定する（ステップＳ１０８）。
【００５１】
コントローラ１０は、判定の結果、カメラアプリケーション９Ｂを実行中である場合には（ステップＳ１０８，Ｙｅｓ）、上記ステップＳ１０３の判定に戻る。
【００５２】
一方、コントローラ１０は、判定の結果、カメラアプリケーション９Ｂを実行中ではない場合には（ステップＳ１０８，Ｎｏ）、計時を停止して（ステップＳ１０９）、図１０に示す処理を終了する。
【００５３】
上記ステップＳ１０６において、コントローラ１０は、判定の結果、動画撮影中ではない場合には（ステップＳ１０６，Ｎｏ）、上記ステップＳ１０８の判定に移る。
【００５４】
上記ステップＳ１０５において、コントローラ１０は、判定の結果、自機の周囲環境の水上から水中への変化、もしくは自機の周囲環境の水中から水上への変化を検出していない場合には（ステップＳ１０５，Ｎｏ）、上記ステップＳ１０８の判定に移る。
【００５５】
図１１は、スマートフォン１が入水する直前に測定された加速度を用いて、画像の補正のための調整継続時間を設定する場合の画像補正処理を示す。図１１に示すように、コントローラ１０は、周囲環境が水上から水中へ変化したと判定される直前に測定された加速度の値を加速度センサ１５から取得する（ステップＳ２０１）。
【００５６】
続いて、コントローラ１０は、調整継続時間の設定用テーブル９Ｄに基づいて、ステップＳ２０１で取得した加速度の値に対応する調整継続時間を設定する（ステップＳ２０２）。
【００５７】
続いて、コントローラ１０は、ステップＳ２０２で設定した調整継続時間に基づいて、歪曲収差の自動補正量を調整継続時間で除算することにより、歪曲収差の補正量の時間当たりの変化量を算出する（ステップＳ２０３）。
【００５８】
続いて、コントローラ１０は、ステップＳ２０２で設定した調整継続時間に基づいて、カラーバランスの自動補正量を調整継続時間で除算することにより、カラーバランスの補正量の時間当たりの変化量を算出する（ステップＳ２０４）。
【００５９】
続いて、コントローラ１０は、ステップＳ２０３で算出した補正量、及びステップＳ２０４で算出した補正量を用いて、画像の補正のための調整継続時間を使って、画像の歪曲収差およびカラーバランスをそれぞれ補正し（ステップＳ２０５）、図１１に示す画像補正処理を終了する。
【００６０】
図１２は、スマートフォン１が入水した直後に測定された加速度を用いて調整継続時間を設定する場合の画像補正処理を示す。図１２に示すように、コントローラ１０は、周囲環境が水上から水中へ変化したと判定された直後に測定された加速度の値を加速度センサ１５から取得する（ステップＳ３０１）。
【００６１】
続いて、コントローラ１０は、調整継続時間の設定用テーブル９Ｄに基づいて、ステップＳ３０１で取得した加速度の値に対応する調整継続時間を設定する（ステップＳ３０２）。
【００６２】
続いて、コントローラ１０は、ステップＳ３０２で設定した調整継続時間に基づいて、歪曲収差の自動補正量を調整継続時間で除算することにより、歪曲収差の補正量の時間当たりの変化量を算出する（ステップＳ３０３）。
【００６３】
続いて、コントローラ１０は、ステップＳ３０２で設定した調整継続時間に基づいて、カラーバランスの自動補正量を調整継続時間で除算することにより、カラーバランスの補正量の時間当たりの変化量を算出する（ステップＳ３０４）。
【００６４】
続いて、コントローラ１０は、ステップＳ３０３で算出した補正量、及びステップＳ３０４で算出した補正量を用いて、調整継続時間を使って、画像の歪曲収差およびカラーバランスをそれぞれ補正し（ステップＳ３０５）、図１２に示す画像補正処理の調整を終了する。
【００６５】
図１１及び図１２に示す例では、スマートフォン１の周囲環境が水上から水中へ変化した場合の画像補正処理について説明したが、スマートフォン１の周囲環境が水中から水上へ変化した場合の画像補正処理についても、図１１及び図１２に示す例と同様の処理を適用できる。
【００６６】
上記実施形態では、スマートフォン１が、例えば、自機の周囲環境が水上から水中に変化した場合、自機に作用する加速度の値に応じて、画像の補正のための調整継続時間を設定する。調整継続時間は、加速度の値が小さいほど長くなるように調整されている。したがって、スマートフォン１が入水する際の速度が遅いほど調整継続時間が長くなり、画像の歪曲収差等がゆっくりと補正される。このため、例えば、動画撮影中に自機の周囲環境の変化に伴ってディスプレイ２Ａに表示されている画像が自動補正される場合、ディスプレイ２Ａの画像を視認している利用者の違和感を軽減できる。また、実施形態において、自機の周囲環境の変化に応じて画像の補正が自動で行われるので、画像の補正を行うための手動操作の必要がなく、利用者の手間を軽減できる。このように、実施形態によれば、画像の補正方法を改善できる。
【００６７】
上記の実施形態では、スマートフォン１が撮影中の動画の補正をリアルタイムで実行する例を説明した。しかしながら、この例には限定されず、撮影した動画を事後的に再生する際に動画の補正を実行してもよい。この補正を実行するために、スマートフォン１は、動画撮影時の加速度の値を動画の識別情報に対応付けてストレージ９に記憶しておいてもよいし、動画の識別情報に対応付けて予め準備した補正パラメータをストレージ９に記憶しておいてもよい。
【００６８】
上記の実施形態で説明した処理は、スマートフォン１に限られず、デジタルカメラ、携帯電話、タブレットなど、画像の撮影機能を有する電子機器に適用できる。
【００６９】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００７０】
１  スマートフォン
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  カメラアプリケーション
９Ｃ  電話アプリケーション
９Ｄ  調整継続時間の設定用テーブル
９Ｚ  設定データ
１０  コントローラ
１１  スピーカ
１２  カメラ
１３  カメラ
１４  コネクタ
１５  加速度センサ
１６  方位センサ
【図１】
0006464046.tif 000002
【図２】
0006464046.tif 000003
【図３】
0006464046.tif 000004
【図４】
0006464046.tif 000005
【図５】
0006464046.tif 000006
【図６】
0006464046.tif 000007
【図７】
0006464046.tif 000008
【図８】
0006464046.tif 000009
【図９】
0006464046.tif 000010
【図１０】
0006464046.tif 000011
【図１１】
0006464046.tif 000012
【図１２】
0006464046.tif 000013